(57)【要約】【課題】尿等の横漏れ防止効果と吸収性能の両方を高めることができる吸収性物品を提供する。【解決手段】トップシートとバックシートとこれらの間に設けられた第１吸収体１１を有する吸収性物品であって、第１吸収体１１は、複数層のシート部材１２を含み、シート部材１２の間に吸水性樹脂１３を有しパルプ繊維を有しないように構成され、幅方向ｘの両側に端部領域１５とこれらの間に位置する中央領域１６を有し、端部領域１５に、ボルテックス法による吸水速度が２０秒以下である吸水性樹脂１３Ａが配され、中央領域１６に、ボルテックス法による吸水速度が４０秒以上である吸水性樹脂１３Ｂが配されている。【選択図】図１
2015150058.tif 000002
【特許請求の範囲】
【請求項１】
幅方向と前後方向を有し、トップシートとバックシートとこれらの間に設けられた第１吸収体を有する吸収性物品であって、
前記第１吸収体は、複数層のシート部材を含み、シート部材の間に吸水性樹脂を有しパルプ繊維を有しないように構成され、幅方向の両側に端部領域とこれらの間に位置する中央領域を有し、
前記端部領域に、ボルテックス法による吸水速度が２０秒以下である吸水性樹脂が配され、
前記中央領域に、ボルテックス法による吸水速度が４０秒以上である吸水性樹脂が配されていることを特徴とする吸収性物品。
【請求項２】
前記第１吸収体は、前記各端部領域の幅方向の両側で、前記シート部材どうしが互いに接合されて封止部が形成されている請求項１に記載の吸収性物品。
【請求項３】
前記第１吸収体は、ボルテックス法による吸水速度が２０秒以下である吸水性樹脂が配された前記端部領域と、ボルテックス法による吸水速度が４０秒以上である吸水性樹脂が配された前記中央領域とが、同一面上に形成されている請求項１または２に記載の吸収性物品。
【請求項４】
前記第１吸収体は、前記端部領域のみに存在する上側吸収層と、前記端部領域と前記中央領域に存在する下側吸収層とを有し、
前記上側吸収層に、ボルテックス法による吸水速度が２０秒以下である吸水性樹脂が配され、
前記下側吸収層に、ボルテックス法による吸水速度が４０秒以上である吸水性樹脂が配されている請求項１または２に記載の吸収性物品。
【請求項５】
前記第１吸収体のバックシート側に、吸水性樹脂とパルプ繊維を含有する第２吸収体が設けられている請求項１〜４のいずれか一項に記載の吸収性物品。
【請求項６】
前記第２吸収体は、前記第１吸収体の中央領域と重なって、前後方向に延びる溝または開口が形成されている請求項５に記載の吸収性物品。
【請求項７】
前記トップシートの幅方向の両側に、前後方向に延びる立ち上がりフラップが設けられ、
前記第１吸収体は、前記立ち上がりフラップの立ち上がる起点となる基部よりも幅方向の内方に設けられ、
前記第２吸収体は、前記立ち上がりフラップの基部よりも幅方向の外方に延在するように設けられている請求項５または６に記載の吸収性物品。
【請求項８】
前記トップシートの幅方向の両側に、前後方向に延びる立ち上がりフラップが設けられ、
前記第１吸収体の端部領域は、前記立ち上がりフラップの立ち上がる起点となる基部と重なるように設けられている請求項１〜６のいずれか一項に記載の吸収性物品。
【発明の詳細な説明】
【技術分野】
【０００１】
本発明は、尿パッド（軽失禁パッドを含む）、生理用ナプキン、使い捨ておむつ等の吸収性物品に関するものである。
【背景技術】
【０００２】
従来、シート部材の間に吸水性樹脂を有しパルプ繊維を有しないように構成された吸収体を有する吸収性物品が知られている。例えば特許文献１〜４には、このような吸収体を有する吸収性物品が開示されている。
【先行技術文献】
【特許文献】
【０００３】
【特許文献１】特開２０００−２３８１６１号公報
【特許文献２】特開２００４−２７５２２５号公報
【特許文献３】特開２００９−０６１２３０号公報
【特許文献４】特開２０１３−０４２８８２号公報
【発明の概要】
【発明が解決しようとする課題】
【０００４】
シート部材の間に吸水性樹脂を有しパルプ繊維を有しないように構成された吸収体は、高い吸収容量を実現し、また薄型に形成することが可能となる一方、パルプ繊維が含まれていないために、尿等の体液の吸収速度が遅くなりがちである。そのため、尿等が一度に多量に排泄された場合など、横漏れ防止という点で改善の余地があった。また、シート部材の間に配された吸水性樹脂が一旦尿等を吸収すると、吸水性樹脂が膨潤することにより尿等の拡散が阻害されやすくなり、吸収体全体としての吸収性能が低下するおそれがあった。この点で、尿等の吸収速度を高めて横漏れ防止効果を高めることと、尿等の拡散性を確保して吸収性能を高めることとは、相反する関係にあり、両性能を同時に高めることは難しかった。
【０００５】
本発明は前記事情に鑑みてなされたものであり、その目的は、シート部材間に吸水性樹脂を有しパルプ繊維を有しないように構成された吸収体を備え、尿等の横漏れ防止効果と吸収性能の両方を高めることができる吸収性物品を提供することにある。
【課題を解決するための手段】
【０００６】
前記課題を解決することができた本発明の吸収性物品とは、幅方向と前後方向を有し、トップシートとバックシートとこれらの間に設けられた第１吸収体を有する吸収性物品であって；第１吸収体は、複数層のシート部材を含み、シート部材の間に吸水性樹脂を有しパルプ繊維を有しないように構成され、幅方向の両側に端部領域とこれらの間に位置する中央領域を有し；端部領域に、ボルテックス法による吸水速度が２０秒以下である吸水性樹脂が配され；中央領域に、ボルテックス法による吸水速度が４０秒以上である吸水性樹脂が配されているところに特徴を有する。
【０００７】
本発明の吸収性物品は、第１吸収体の端部領域に吸水速度の速い吸水性樹脂が配されているため、着用者から排泄された尿等が第１吸収体上で幅方向に広がっても、尿等が端部領域に配された吸水性樹脂によって速やかに吸収され、尿等の横漏れが起こりにくくなる。一方、第１吸収体の中央領域には吸水速度の遅い吸水性樹脂が配されているため、着用者から排泄された尿等が中央領域で拡散しやすくなり、第１吸収体に配された吸水性樹脂が広範囲で尿等の吸収に寄与し、尿等の吸収性能を高めることができる。
【０００８】
第１吸収体は、各端部領域の幅方向の両側で、シート部材どうしが互いに接合されて封止部が形成されていることが好ましい。第１吸収体がこのように形成されていれば、端部領域に配された吸水性樹脂が尿等を吸収することにより膨潤して、端部領域が上下方向に高く膨らみやすくなる。その結果、端部領域によって拡散防止壁が形成され、尿等がそれ以上幅方向の外方に拡散しにくくなり、尿等の横漏れ防止効果が高まる。
【０００９】
第１吸収体は、例えば、ボルテックス法による吸水速度が２０秒以下である吸水性樹脂が配された端部領域と、ボルテックス法による吸水速度が４０秒以上である吸水性樹脂が配された中央領域とが、同一面上に形成される。このように第１吸収体が形成されていれば、中央領域に排泄された尿等が幅方向に拡散しても、端部領域に配された吸水速度の速い吸水性樹脂によって尿等が確実に吸収・固定されやすくなる。また端部領域の吸水性樹脂が尿等を吸収することにより端部領域が盛り上がって、尿等が端部領域によって堰き止められ、横漏れ防止効果が高まる。
【００１０】
第１吸収体は、端部領域のみに存在する上側吸収層と、端部領域と中央領域に存在する下側吸収層とを有し、上側吸収層に、ボルテックス法による吸水速度が２０秒以下である吸水性樹脂が配され、下側吸収層に、ボルテックス法による吸水速度が４０秒以上である吸水性樹脂が配されていてもよい。このように第１吸収体が形成されていれば、端部領域に高さの高い拡散防止壁が形成されやすくなり、尿等の横漏れ防止効果が高まる。
【００１１】
第１吸収体のバックシート側には、吸水性樹脂とパルプ繊維を含有する第２吸収体が設けられていることが好ましい。第１吸収体のバックシート側に第２吸収体が設けられれば、第１吸収体を透過したり第１吸収体から溢れ出た尿等が第２吸収体で吸収され、尿等のバックシート側からの漏れ防止効果が高まる。
【００１２】
第２吸収体は、第１吸収体の中央領域と重なって、前後方向に延びる溝または開口が形成されていることが好ましい。このように第２吸収体に溝または開口が設けられることにより、第１吸収体の中央領域を透過した尿等が第２吸収体を前後方向に拡散しやすくなり、尿等が第２吸収体によって速やかに吸収されるようになる。
【００１３】
本発明の吸収性物品は、トップシートの幅方向の両側に、前後方向に延びる立ち上がりフラップが設けられ、第１吸収体は、立ち上がりフラップの立ち上がる起点となる基部よりも幅方向の内方に設けられ、第２吸収体は、立ち上がりフラップの基部よりも幅方向の外方に延在するように設けられていることが好ましい。このように第１吸収体と第２吸収体が設けられていれば、第１吸収体上に尿等が多量に排泄されたりして第１吸収体から尿等が溢れ出ても、尿等が第１吸収体と立ち上がりフラップの基部との間の隙間を通って第２吸収体に移行し、第２吸収体で好適に吸収されるようになる。その結果、尿等の横漏れ防止効果が高まる。
【００１４】
第１吸収体の端部領域は、立ち上がりフラップの立ち上がる起点となる基部と重なるように設けられていることも好ましい。このように第１吸収体が設けられれば、第１吸収体の端部領域に配された吸水性樹脂が尿等を吸収して端部領域が上下方向に膨らむことにより、立ち上がりフラップの基部が上方に持ち上げられ、立ち上がりフラップによって高さの高い防漏壁が形成されるようになる。その結果、尿等の横漏れ防止効果が高まる。
【発明の効果】
【００１５】
本発明の吸収性物品は、シート部材の間に吸水性樹脂を有しパルプ繊維を有しないように構成された第１吸収体を有し、第１吸収体の幅方向の端部領域に吸水速度の速い吸水性樹脂が配され、幅方向の中央領域に吸水速度の遅い吸水性樹脂が配されている。そのため、着用者から排泄された尿等は、中央領域で拡散しやすくなり、第１吸収体に配された吸水性樹脂が広範囲で尿等の吸収に寄与し、尿等の吸収性能が高められる。一方、尿等が第１吸収体上で幅方向に広がっても、尿等が端部領域に配された吸水性樹脂によって速やかに吸収されるため、尿等の横漏れが起こりにくくなる。
【図面の簡単な説明】
【００１６】
【図１】本発明の吸収性物品に設けられる第１吸収体の幅方向断面図の一例を表す。
【図２】図１に示した第１吸収体の一部切欠き平面図を表す。
【図３】第１吸収体の幅方向断面図の他の例を表す。
【図４】第１吸収体の幅方向断面図のさらに他の例を表す。
【図５】図１および図２に示した第１吸収体を備えた吸収性物品の一例を表し、吸収性物品の平面図を表す。
【図６】図５に示した吸収性物品のＶＩ−ＶＩ断面図を表す。
【発明を実施するための形態】
【００１７】
本発明の吸収性物品は、トップシートとバックシートとこれらの間に設けられた吸収体を有する。本発明の吸収性物品の態様としては、尿パッド（失禁パッドを含む）、使い捨ておむつ、生理用ナプキン等が示される。
【００１８】
吸収性物品は、前後方向と幅方向とを有する。「前後方向」とは、吸収性物品を着用者が着用した際、着用者の股間の前後方向に延びる方向を意味する。「幅方向」とは、吸収性物品と同一面上にあり、前後方向と直交する方向を意味する。前後方向と幅方向から形成される平面上の方向を平面方向と規定する。また本発明において、「上側」とは、吸収性物品を着用した際の着用者側を意味し、「下側」とは、吸収性物品を着用した際の着用者とは反対側、すなわち外側を意味する。上側から下側に延びる方向を、上下方向と規定する。
【００１９】
吸収性物品の形状は特に限定されない。吸収性物品が尿パッドである場合、吸収性物品の形状としては、略長方形、砂時計形、ひょうたん形、羽子板形等が示される。
【００２０】
吸収性物品が使い捨ておむつである場合、吸収性物品は、例えば、前腹部と後背部とこれらの間に位置し吸収体が備えられた股部とから構成される。使い捨ておむつとしては、例えば、前腹部と後背部とこれらの間に位置する股部とからなるパンツ部材の肌側面に、トップシートとバックシートの間に吸収体が配された吸収性本体が設けられてもよい。このとき、吸収性本体の形状としては略長方形等が示される。使い捨ておむつとしてはまた、トップシートとバックシートの間に吸収体が配された積層体が、前腹部と後背部とこれらの間に位置する股部とを形成してもよい。なお、前腹部は、使い捨ておむつを着用の際に着用者の腹側に当てる部分に相当し、後背部は、使い捨ておむつを着用の際に着用者の背側に当てる部分に相当する。股部は、前腹部と後背部との間に位置し、着用者の股間に当てる部分に相当する。
【００２１】
吸収性物品が使い捨ておむつである場合、使い捨ておむつは、後背部の左右側端に一対の止着部材が設けられ、当該止着部材により着用時にパンツ形状に形成するオープンタイプ（テープタイプ）の使い捨ておむつであったり、ウェスト開口部と一対の脚開口部とが形成されたパンツタイプの使い捨ておむつであってもよい。
【００２２】
トップシートは、吸収性物品の着用の際に着用者側に位置するシートであり、液透過性であることが好ましい。トップシートとしては、例えば、セルロース、レーヨン、コットン等の親水性繊維から形成された不織布や、ポリオレフィン（例えば、ポリプロピレン、ポリエチレン）、ポリエステル（例えば、ＰＥＴ）、ポリアミド（例えば、ナイロン）等の疎水性繊維から形成された不織布であって、疎水性繊維の表面が界面活性剤により親水化されたもの等を用いることができる。また、トップシートとして、織布、編布、孔が形成されたプラスチックフィルム等を用いてもよい。
【００２３】
バックシートは、吸収性物品の着用の際に着用者とは反対側、すなわち外側に位置するシートであり、液不透過性であることが好ましい。バックシートとしては、ポリオレフィン（例えば、ポリプロピレン、ポリエチレン）、ポリエステル（例えば、ＰＥＴ）、ポリアミド（例えば、ナイロン）等の疎水性繊維から形成された不織布や、プラスチックフィルム等を用いることができる。また、不織布とプラスチックフィルムとの積層体を用いてもよい。本発明において、液不透過性には撥水性の意味も含まれる。
【００２４】
パンツ部材は、液透過性であっても液不透過性であってもよく、トップシートやバックシートに使用可能なシート材料を用いることができる。パンツ部材は、内側シートに外側シートが積層されて形成されることが好ましく、親水性の内側シートに液不透過性の外側シートが積層されて形成されることがより好ましい。
【００２５】
上記説明した各シート材料として不織布を用いる場合、不織布としては、スパンボンド不織布、エアスルー不織布、ポイントボンド不織布、メルトブロー不織布、エアレイド不織布、ＳＭＳ不織布等を用いることが好ましい。
【００２６】
吸収性物品には、幅方向の両側に立ち上がりフラップが設けられることが好ましい。立ち上がりフラップを設けることにより、尿等の横漏れが防止される。立ち上がりフラップは、トップシートの幅方向の両側に設けられることが好ましく、これにより着用者から排泄された尿等が、立ち上がりフラップの間で液溜まりなどを形成することなく、トップシートを透過して吸収体に速やかに吸収されやすくなる。
【００２７】
立ち上がりフラップは、例えば、トップシートの幅方向の両側に、前後方向に延在するサイドシートを接合し、サイドシートの幅方向内方に弾性部材を設けることにより形成される。このようにサイドシートと弾性部材とを設けることにより、弾性部材の収縮力によりサイドシートの幅方向内方が着用者の肌に向かって立ち上がり、立ち上がりフラップが形成される。立ち上がりフラップまたはサイドシートは、液不透過性のプラスチックフィルムや液不透過性の不織布等により構成されることが好ましい。
【００２８】
立ち上がりフラップに設けられる弾性部材としては、ポリウレタン糸、ポリウレタンフィルム、天然ゴム等の通常の使い捨ておむつ等の吸収性物品に用いられる弾性伸縮材料を用いることができる。弾性部材は、伸張状態で、ホットメルト接着剤で固定されることが好ましい。例えば、繊度４０〜１，２４０ｄｔｅｘのポリウレタン糸を、倍率１．１〜５．０倍に伸張して配設し、固定する。接合手段としては、好ましくは、ゴム系のホットメルト接着剤が用いられる。なお、前記倍率は、非伸張状態を１．０倍とする。
【００２９】
吸収体は、トップシートとバックシートの間に配され、着用者から排泄されてトップシートを透過した尿等を吸収し保持する。本発明の吸収性物品は、吸収体として、複数層のシート部材を含み、シート部材の間に吸水性樹脂を有しパルプ繊維を有しないように構成された第１吸収体を有する。第１吸収体は、シート部材の間に吸水性樹脂を有しパルプ繊維を有しないように構成されているため、高い吸収容量を有しながら、薄型に形成することができる。なお後述するように、吸収性物品は、吸収体として、第１吸収体のバックシート側に第２吸収体を有していてもよく、第２吸収体は吸水性樹脂とパルプ繊維を含有することが好ましい。第１吸収体は好ましくは吸収体の中で最上側に配され、また第２吸収体が設けられる場合は、第１吸収体は第２吸収体と隣接して設けられる。
【００３０】
第１吸収体は、吸水性樹脂の上側と下側にそれぞれシート部材が設けられ、いわば上側のシート部材と下側のシート部材を有する。上側のシート部材と下側のシート部材は別々のシート部材から構成されてもよく、１つのシート部材を折り返し、折り返された一方側を上側のシート部材とし、他方側を下側のシート部材としてもよい。
【００３１】
第１吸収体は、複数層のシート部材を含み、シート部材の間に吸水性樹脂を有しパルプ繊維を有しないように構成される限り、第１吸収体が複数重なって形成されてもよい。例えば、第１吸収体は、上側吸収層と下側吸収層が積層されて構成され、上側吸収層と下側吸収層のそれぞれが複数層のシート部材を含み、シート部材の間に吸水性樹脂を有しパルプ繊維を有しないように構成されてもよい。この場合、吸水性樹脂が配された層（すなわち吸水性樹脂層）が複数形成されることとなる。もちろん第１吸収体は、吸水性樹脂層が１層のみ形成されるものでもよい。
【００３２】
第１吸収体に設けられるシート部材は液透過性であり、例えば、セルロース、レーヨン、コットン等の親水性繊維から形成された不織布や、ポリオレフィン（例えば、ポリプロピレン、ポリエチレン）、ポリエステル（例えば、ＰＥＴ）、ポリアミド（例えば、ナイロン）等の疎水性繊維から形成された不織布であって、疎水性繊維の表面が界面活性剤により親水化されたものを用いることができる。また、シート部材として、織布、編布、有孔プラスチックフィルム等を用いてもよい。好ましくは、シート部材として、不織布製シート部材（不織布シート）を用いる。
【００３３】
第１吸収体は、上側のシート部材と下側のシート部材の間に吸水性樹脂が配されるが、これらのシート部材の間にはパルプ繊維は配されない。なお第１吸収体において、製造上不可避的に混入するパルプ繊維の存在は許容される。第１吸収体は、シート部材の間に吸水性樹脂を有しパルプ繊維を有しないように構成されるため、高い吸収容量を有しつつ薄型に形成することができる。
【００３４】
吸水性樹脂としては、ポリアクリル酸ナトリウム等のポリアクリル酸系の吸水性樹脂；デンプン−アクリロニトリルグラフト共重合体、デンプン−アクリル酸グラフト共重合体、デンプン−アクリルアミドグラフト共重合体等のデンプン系の吸水性樹脂；ポリビニルアルコール架橋体等のポリビニルアルコール系の吸水性樹脂等を用いることができる。吸水性樹脂としては、高い液吸収量を有する点で、ポリアクリル酸ナトリウム等のポリアクリル酸系の吸水性樹脂を用いることが好ましい。
【００３５】
第１吸収体は、幅方向の両側に端部領域とこれらの間に位置する中央領域を有する。端部領域は、第１吸収体の幅方向の一方端を含む領域と他方端を含む領域とから構成される。中央領域は、第１吸収体の一方側の端部領域と他方側の端部領域の間に、それぞれに隣接して設けられる。第１吸収体の端部領域と中央領域の幅方向の長さは特に限定されないが、中央領域は、第１吸収体の幅方向の長さの２５％〜８０％（より好ましくは３０％〜７５％）となるように設けられることが好ましい。なお、第１吸収体の端部領域と中央領域はそれぞれ、前後方向の全体にわたって形成されることが好ましい。
【００３６】
ところで、従来、シート部材の間に吸水性樹脂を有しパルプ繊維を有しないように構成された吸収体は、高い吸収容量を実現できるものの、パルプ繊維が含まれていないために尿等の吸収速度が遅くなりがちであり、そのため尿等の横漏れ防止という点では改善の余地があった。また、吸水性樹脂が一旦尿等を吸収すると、吸水性樹脂が膨潤することにより、吸収体での尿等の拡散が阻害されやすくなり、尿等の吸収性能が低下するおそれがあった。この点で、尿等の吸収速度を高めて横漏れ防止効果を高めることと、尿等の拡散性を確保して吸収性能を高めることとは、相反する関係にあり、両性能を同時に高めることは難しかった。
【００３７】
そこで本発明の吸収性物品は、第１吸収体の端部領域に、ボルテックス法による吸水速度が２０秒以下である吸水性樹脂を配し、中央領域に、ボルテックス法による吸水速度が４０秒以上である吸水性樹脂を配するようにしている。すなわち、第１吸収体の端部領域には比較的吸水速度の速い吸水性樹脂が配され、中央領域には比較的吸水速度の遅い吸水性樹脂が配されている。なお以下の記載において、ボルテックス法による吸水速度が２０秒以下の吸水性樹脂を「速効性吸水性樹脂」と称し、ボルテックス法による吸水速度が４０秒以上の吸水性樹脂を「遅効性吸水性樹脂」と称する場合がある。
【００３８】
本発明の吸収性物品は、第１吸収体の端部領域に速効性吸水性樹脂が配されているため、着用者から排泄された尿等が第１吸収体上で幅方向に広がっても、尿等が端部領域に配された速効性吸水性樹脂によって速やかに吸収され、尿等の横漏れが起こりにくくなる。一方、第１吸収体の中央領域は着用者から排泄された尿等を受けやすいところ、中央領域には遅効性吸水性樹脂が配されているため、尿等が中央領域で拡散しやすくなり、第１吸収体に配された吸水性樹脂が広範囲で尿等の吸収に寄与し、尿等の吸収性能を高めることができる。
【００３９】
速効性吸水性樹脂のボルテックス法による吸水速度は、２０秒以下であり、１５秒以下が好ましく、１０秒以下がより好ましい。一方、前記吸水速度の下限は特に限定されないが、速効性吸水性樹脂のボルテックス法による吸水速度は、例えば、１秒以上であればよく、２秒以上がより好ましい。ボルテックス法による吸水速度が２０秒以下の吸水性樹脂としては、例えば、住友精化株式会社製のアクアキープ（登録商標）１０ＳＨ−ＰＦを用いることができる。
【００４０】
遅効性吸水性樹脂のボルテックス法による吸水速度は、４０秒以上であり、６０秒以上が好ましく、８０秒以上がより好ましく、１００秒以上がさらに好ましい。一方、前記吸水速度の上限は特に限定されないが、尿等が吸水性樹脂によって好適に固定されるようにする点から、遅効性吸水性樹脂のボルテックス法による吸水速度は、３００秒以下が好ましく、２４０秒以下がより好ましい。ボルテックス法による吸水速度が４０秒以上の吸水性樹脂としては、従来一般に吸収性物品に使用される吸水性樹脂を用いることができる。
【００４１】
吸水性樹脂のボルテックス法による吸水速度は、ＪＩＳ  Ｋ  ７２２４（１９９６年版）に従って測定する。具体的には次のようにして吸水速度を求める。１００ｍＬのガラスビーカーに、生理食塩水（０．９重量％塩化ナトリウム水）５０ｍＬとマグネチックスターラーチップ（中央部直径８ｍｍ、両端部直径７ｍｍ、長さ３０ｍｍで、表面がフッ素樹脂コーティングされているもの）を入れ、ビーカーをマグネチックスターラー（アズワン製ＨＰＳ−１００）に載せる。マグネチックスターラーの回転数を６００±６０ｒｐｍに調整し、生理食塩水を撹拌する。吸水性樹脂２．０ｇを、撹拌中の食塩水の渦の中心部で液中に投入し、吸水性樹脂のビーカーへの投入が完了した時点で計時を開始し、スターラーチップが試験液に覆われた時点（渦が消え、液表面が平らになった時点）で計時を止め、その時間（秒）を吸水速度として記録する。測定は５回行い（ｎ＝５）、上下各１点の値を削除し、残る３点の平均値を測定値とする。なお、これらの測定は２３±２℃、相対湿度５０±５％で行い、測定の前に吸水性樹脂を同環境で２４時間以上保存した後に測定する。
【００４２】
吸収性物品からの吸水性樹脂の取り出しは次のようにして行う。第１吸収体から吸水性樹脂を取り出す場合は、吸水性樹脂を間に配したシート部材を分離するなどして、シート部材の間に配された吸水性樹脂を取り出す。この際、端部領域と中央領域のそれぞれから吸水性樹脂を取り出して、各領域に配された吸水性樹脂の吸水速度を測定する。また後述するように、第２吸収体が吸水性樹脂とパルプ繊維を有し、第２吸収体に配される吸水性樹脂の吸水速度を測定する必要性が生じた場合は、吸水性樹脂とパルプ繊維の混合物を篩を用いて吸水性樹脂とパルプ繊維とに分離することにより、吸水性樹脂を取り出す。
【００４３】
第１吸収体の中央領域には、遅効性吸水性樹脂のみが配されることが好ましい。第１吸収体の中央領域に遅効性吸水性樹脂のみが配されていれば、着用者から受けた尿等が中央領域で平面方向に拡散しやすくなり、第１吸収体に配された吸水性樹脂が広範囲で尿等の吸収に寄与しやすくなる。
【００４４】
一方、端部領域には、速効性吸水性樹脂と遅効性吸水性樹脂の両方が配されていてもよい。例えば、第１吸収体が端部領域で複数層の吸水性樹脂層を有する場合などは、少なくとも１つの吸水性樹脂層に速効性吸水性樹脂が配されていればよい。
【００４５】
端部領域には、速効性吸水性樹脂のみが配されていてもよい。例えば、第１吸収体が吸水性樹脂層を１層のみ有する場合は、端部領域には速効性吸水性樹脂のみが配されていることが好ましい。また、第１吸収体が端部領域で複数層の吸水性樹脂層を有する場合は、端部領域の各吸水性樹脂層に速効性吸水性樹脂を配することで、端部領域に高さの高い拡散防止壁が形成されやすくなり、尿等の横漏れを防止効果が高まる。
【００４６】
第１吸収体は、シート部材どうしが互いに接合されて封止部が形成されていることが好ましい。一方、シート部材どうしが互いに接合されない非封止部には、吸水性樹脂が配されて、吸収領域が形成されていることが好ましい。封止部は、シート部材どうしを接着剤で接合したり、ヒートシール（熱融着）や超音波接着することにより形成される。封止部は、シート部材どうしが接合される部分として規定され、封止部での吸水性樹脂の存在は許容される。
【００４７】
第１吸収体に封止部が形成されていれば、封止部を通って尿等が第１吸収体上を拡散しやすくなる。また、第１吸収体の下側に第２吸収体が設けられる場合などは、封止部を尿等が透過して、尿等が第２吸収体に移行しやすくなり、第２吸収体によって尿等が好適に吸収されやすくなる。
【００４８】
第１吸収体は、各端部領域の幅方向の両側で、シート部材どうしが互いに接合されて封止部が形成されていることが好ましい。第１吸収体がこのように形成されていれば、端部領域に配された吸水性樹脂が尿等を吸収することにより膨潤して、端部領域が上下方向に高く膨らみやすくなる。その結果、端部領域により拡散防止壁が形成され、尿等がそれ以上幅方向の外方に拡散しにくくなり、尿等の横漏れ防止効果が高まる。
【００４９】
封止部は、第１吸収体の前後方向の全長にわたって延びるように設けられることが好ましい。また吸収領域は、第１吸収体の前後方向の全長にわたって延びるように設けられることが好ましい。例えば、端部領域の幅方向の両側に、第１吸収体の前後方向の全長にわたって延びるように封止部が設けられれば、端部領域の前後方向の全体にわたって拡散防止壁が好適に形成され、尿等の横漏れが防止されやすくなる。
【００５０】
封止部は、各端部領域の幅方向の両側とその間に合計３つ以上幅方向に並んで設けられてもよい。この場合、封止部は、端部領域において吸収領域を幅方向に分割するように設けられることとなる。このように端部領域に封止部が設けられれば、封止部を通って尿等が第１吸収体を前後方向に拡散しやすくなり、端部領域に配された吸水性樹脂のより多くが尿等の吸収に寄与しやすくなり、第１吸収体の吸収能を高めることができる。なお、端部領域の吸水性樹脂が尿等を吸収することによって、より高い拡散防止壁が形成されるようにする点からは、封止部は、端部領域では、幅方向の両側のみに設けられることが好ましい。
【００５１】
封止部は、中央領域に設けられてもよい。例えば、封止部は、中央領域の吸収領域を幅方向に分割するように設けられることが好ましい。このように封止部が設けられれば、中央領域において尿等が第１吸収体の前後方向に拡散しやすくなり、中央領域に配された吸水性樹脂のより多くが尿等の吸収に寄与しやすくなり、第１吸収体の吸収性能を高めることができる。
【００５２】
封止部は、第１吸収体が吸水しても、シート部材どうしの接合が維持されることが好ましい。このように封止部が形成されることにより、第１吸収体が尿等を吸収することによって吸収領域が上下方向に膨らんで拡散防止壁がより高く形成されやすくなる。封止部でシート部材どうしの接合が維持されやすくするためには、シート部材どうしを、ゴム系接着剤（例えば、天然ゴム系、ブチルゴム系、ポリイソプレン等）やスチレン系エラストマー（例えば、スチレン−イソプレン−スチレンブロック共重合体（ＳＩＳ）、スチレン−ブタジエン−スチレンブロック共重合体（ＳＢＳ）、スチレン−エチレン−ブタジエン−スチレンブロック共重合体（ＳＥＢＳ）、スチレン−エチレン−プロピレン−スチレンブロック共重合体（ＳＥＰＳ）等）で接着したり、ヒートシール（熱融着）あるいは超音波接着することが好ましい。
【００５３】
第１吸収体の吸収領域（すなわち非封止部に吸水性樹脂が配される領域）に配される吸水性樹脂の量は、５０ｇ／ｍ２以上が好ましく、１００ｇ／ｍ２以上がより好ましく、また４００ｇ／ｍ２以下が好ましく、３８５ｇ／ｍ２以下がより好ましい。吸収領域に吸水性樹脂が５０ｇ／ｍ２以上の量で配されていれば、第１吸収体の吸収容量を高めやすくなる。一方、吸収領域に吸水性樹脂が４００ｇ／ｍ２以下の量で配されていれば、吸収領域に配された吸水性樹脂の吸収能が効率的に活用されやすくなる。
【００５４】
端部領域の吸収領域に配される速効性吸水性樹脂の量（単位面積当たりの質量）は、中央領域の吸収領域に配される遅効性吸水性樹脂の量（単位面積当たりの質量）よりも少ないことが好ましい。速効性吸水性樹脂は、尿等を速やかに吸収するために、すぐに膨潤して、遅効性吸水性樹脂よりも吸水性樹脂全体が尿等の吸収に寄与しにくくなる。そのため、吸水性樹脂の吸収能を有効に活用し、かつ吸収容量をできるだけ高める点から、速効性吸水性樹脂の配設量は遅効性吸水性樹脂の配設量よりも少なくすることが好ましい。
【００５５】
端部領域の吸収領域に配される速効性吸水性樹脂の量は、例えば、５０ｇ／ｍ２以上が好ましく、１００ｇ／ｍ２以上がより好ましく、また２００ｇ／ｍ２以下が好ましく、１８０ｇ／ｍ２以下がより好ましい。中央領域の吸収領域に配される遅効性吸水性樹脂の量は、例えば、１００ｇ／ｍ２以上が好ましく、１５０ｇ／ｍ２以上がより好ましく、また４００ｇ／ｍ２以下が好ましく、３８５ｇ／ｍ２以下がより好ましい。
【００５６】
第１吸収体では、吸水性樹脂が接着剤によってシート部材に固定されていることが好ましい。すなわち、シート部材には接着剤が塗布されて接着剤層が設けられ、吸水性樹脂が接着剤層でシート部材に固定されていることが好ましい。接着剤層は、上側のシート部材と下側のシート部材の少なくとも一方に設けられればよいが、好ましくは、接着剤層は上側のシート部材と下側のシート部材の両方に設けられる。吸水性樹脂は、少なくとも一部が接着剤層に固定されていればよく、例えば、接着剤層に接する吸水性樹脂が接着剤層に固定されていればよい。吸水性樹脂が接着剤層によりシート部材に固定されていれば、吸水性樹脂がシート部材の間で移動しにくくなり、第１吸収体が所望する性能を発揮しやすくなる。
【００５７】
接着剤層は、吸水性樹脂を固定しつつ、吸水性樹脂による吸水や膨潤を阻害しないことが好ましい。この点から、接着剤層は断続的なパターンで設けられることが好ましく、例えば、接着剤層は、接着剤を網状やストライプ状や散点状に塗布することにより形成されることが好ましい。接着剤層を網状に形成する場合は、カーテンスプレー法、スパイラルコーティング法、オメガコーティング法等により接着剤を塗布すればよい。
【００５８】
接着剤層を形成する接着剤としては、上記に説明したような封止部を形成するのに使用可能な接着剤を使用することができる。また、接着剤層によって封止部が形成されてもよい。この場合、接着剤層によってシート部材どうしが接合され、これにより封止部が形成されることとなる。
【００５９】
第１吸収体の構成例について、図面を参照して説明する。図１は、第１吸収体の幅方向断面図の一例を表し、図２は、図１に示した第１吸収体の一部切欠き平面図を表す。図３は、第１吸収体の幅方向断面図の他の例を表し、図４は、第１吸収体の幅方向断面図のさらに他の例を表す。図面において、矢印ｘ、ｙ、ｚはそれぞれ吸収性物品の幅方向、前後方向、上下（厚み）方向を表す。
【００６０】
図１および図２に示した第１吸収体について説明する。第１吸収体１１は、複数層のシート部材１２を含み、シート部材１２の間に吸水性樹脂１３を有しパルプ繊維を有しないように構成され、幅方向ｘの両側に端部領域１５とこれらの間に位置する中央領域１６を有している。端部領域１５には、ボルテックス法による吸水速度が２０秒以下である速効性吸水性樹脂１３Ａが配され、中央領域１６には、ボルテックス法による吸水速度が４０秒以上である遅効性吸水性樹脂１３Ｂが配されている。このように第１吸収体１１が形成されることにより、着用者から排泄された尿等は中央領域１６で平面方向に拡散して、広範囲にわたって尿等が吸水性樹脂１３によって吸収され、効率的な尿等の吸収が実現される。一方、幅方向ｘに広がった尿等は、端部領域１５に配された速効性吸水性樹脂１３Ａによって速やかに吸収され、尿等の横漏れが効果的に防止される。
【００６１】
図１および図２に示した第１吸収体１１は、シート部材１２に接着剤が塗布されて接着剤層１４が形成され、吸水性樹脂１３が接着剤層１４によりシート部材１２に固定されている。第１吸収体１１は、シート部材１２どうしが接合された部分に封止部１７が形成され、シート部材１２どうしが接合されない部分に非封止部１８が形成されている。封止部１７は、シート部材１２どうしが接着剤層１４によって互いに接合されることにより形成され、非封止部１８には吸水性樹脂１３が配されて吸収領域が形成されている。各端部領域１５は幅方向ｘの両側に封止部１７が形成されており、これにより、端部領域１５に配された吸水性樹脂１３Ａが尿等を吸収した際、吸水性樹脂１３Ａが膨潤して、端部領域１５が上下方向ｚに高く膨らみやすくなる。その結果、端部領域１５により拡散防止壁が形成され、尿等がそれ以上幅方向ｘの外方に拡散しにくくなり、尿等の横漏れ防止効果が高まる。
【００６２】
図１および図２に示した第１吸収体１１は、速効性吸水性樹脂１３Ａが配された端部領域１５と遅効性吸水性樹脂１３Ｂが配された中央領域１６とが同一面上に形成されている。このように第１吸収体１１が形成されていれば、中央領域１６と同一面上に形成された端部領域１５に速効性吸水性樹脂１３Ａが配されているため、中央領域１６に排泄された尿等が幅方向ｘに拡散しても、端部領域１５の速効性吸水性樹脂１３Ａによって尿等が確実に吸収・固定されやすくなる。また端部領域１５の速効性吸水性樹脂１３Ａが尿等を吸収することにより、端部領域１５が盛り上がって、尿等が端部領域１５によって堰き止められるようになり、横漏れ防止効果が高まる。
【００６３】
次に図３および図４に示した第１吸収体について説明する。なお下記において、上記と重複する説明を省略する。また、図３と図４では参照符号が一部省略して示されているが、省略された参照符号は図１に基づき図３と図４にも同じように適用されるものとする。
【００６４】
図３に示した第１吸収体１１は、端部領域１５のみに存在する上側吸収層１１Ｕと、端部領域１５と中央領域１６に存在する下側吸収層１１Ｌとを有し、上側吸収層１１Ｕに速効性吸水性樹脂１３Ａが配され、下側吸収層１１Ｌに遅効性吸水性樹脂１３Ｂが配されている。詳細には、端部領域１５は上側吸収層１１Ｕと下側吸収層１１Ｌとから構成され、中央領域１６は下側吸収層１１Ｌのみから構成されている。そして、端部領域１５に速効性吸水性樹脂１３Ａのみが配され、中央領域１６に遅効性吸水性樹脂１３Ｂのみが配されている。図３に示した第１吸収体１１は、いわば図１に示した第１吸収体を下側吸収層１１Ｌとして、その上に、速効性吸水性樹脂１３Ａが配された上側吸収層１１Ｕが端部領域１５に設けられている。このように第１吸収体１１が形成されていれば、端部領域１５の速効性吸水性樹脂１３Ａが尿等を吸収することにより、端部領域１５に高さの高い拡散防止壁が形成され、尿等の横漏れ防止効果が高まる。
【００６５】
図４に示した第１吸収体１１も、端部領域１５のみに存在する上側吸収層１１Ｕと、端部領域１５と中央領域１６に存在する下側吸収層１１Ｌとを有し、上側吸収層１１Ｕに速効性吸水性樹脂１３Ａが配され、下側吸収層１１Ｌに遅効性吸水性樹脂１３Ｂが配されている。しかし図４に示した第１吸収体１１では、下側吸収層１１Ｌに遅効性吸水性樹脂１３Ｂのみが配されており、従って、端部領域１５には、上側吸収層１１Ｕに速効性吸水性樹脂１３Ａが配され、下側吸収層１１Ｌに遅効性吸水性樹脂１３Ｂが配されていることとなる。このように第１吸収体１１が形成されていれば、下側吸収層１１Ｌは平面方向の全体にわたって尿等の吸収に寄与しやすくなり、尿等の吸収効率を高めることができるとともに、上側吸収層１１Ｕが尿等を吸収することにより端部領域１５に拡散防止壁が形成されて、尿等の横漏れを防止することができる。また、中央領域１６に遅効性吸水性樹脂１３Ｂが配され、端部領域１５に速効性吸水性樹脂１３Ａが配された第１吸収体１１を簡便に製造することができる。
【００６６】
なお、図面には示されていないが、図３や図４に示すように第１吸収体が上側吸収層と下側吸収層から構成される場合、第１吸収体は、シート部材の間に吸水性樹脂を有しパルプ繊維を有しないように構成された吸収シート体が幅方向の両端部で折り返されることにより形成され、上側吸収層が折り返された両端部から形成され、下側吸収層が両端部の間の中間部から形成されてもよい。このように第１吸収体が形成されていれば、下側吸収層で尿等が幅方向の端縁まで拡散しても、吸収シート体の折り返し部によって尿等がそれ以上幅方向の外方に拡散するのが防止され、尿等の横漏れ防止効果がさらに高まる。
【００６７】
次に、第２吸収体について説明する。本発明の吸収性物品は、吸収体として、第１吸収体のバックシート側に第２吸収体が設けられてもよく、第２吸収体は吸水性樹脂とパルプ繊維を含有することが好ましい。第１吸収体のバックシート側に第２吸収体を設けることにより、第１吸収体を透過したり第１吸収体から溢れ出た尿等が第２吸収体で吸収され、尿等のバックシート側からの漏れ防止効果が高まる。
【００６８】
第２吸収体に配される吸水性樹脂は、第１吸収体に配される吸水性樹脂と同じであっても異なっていてもよい。第２吸収体に含まれるパルプ繊維としては、解繊パルプ繊維が好ましく用いられ、解繊パルプ繊維は繊維塊として用いられることが好ましい。第２吸収体は、パルプ繊維を含むことにより尿等の速やかな吸収を実現し、また第２吸収体での尿等の拡散性が高められる。第２吸収体は、吸水性樹脂を含むことにより尿等の保持能力が高められる。
【００６９】
第２吸収体には、ボルテックス法による吸水速度が４０秒以上である吸水性樹脂が配されていることが好ましい。第２吸収体に配される吸水性樹脂がこのような吸水速度を有していれば、第２吸収体内での尿等の拡散性が高まり、第２吸収体の吸収能が広範囲にわたって活用されるようになる。第２吸収体に配される吸水性樹脂のボルテックス法による吸水速度は、より好ましくは６０秒以上であり、さらに好ましくは８０秒以上であり、特に好ましくは１００秒以上である。一方、前記吸収速度の上限は特に限定されないが、尿等が吸水性樹脂によって好適に固定されるようにする点から、第２吸収体に配される吸水性樹脂のボルテックス法による吸水速度は、３００秒以下が好ましく、２４０秒以下がより好ましい。
【００７０】
第２吸収体の吸水性樹脂の含有量は特に限定されないが、５質量％以上が好ましく、１０質量％以上がより好ましく、また４０質量％以下が好ましく、３０質量％以下がより好ましい。吸水性樹脂の含有量が５質量％以上であれば、第２吸収体の尿等の保持能力が高まり、吸水性樹脂の含有量が４０質量％以下であれば、尿等の第２吸収体内での拡散性が高まる。
【００７１】
第２吸収体の目付は、９０ｇ／ｍ2以上が好ましく、１００ｇ／ｍ2以上がより好ましく、また１５０ｇ／ｍ2以下が好ましく、１４０ｇ／ｍ2以下がより好ましい。第２吸収体の目付が９０ｇ／ｍ2〜１５０ｇ／ｍ2の範囲にあれば、第２吸収体の厚みが厚くなりすぎず、尿等の吸収性能に優れた第２吸収体が得やすくなる。
【００７２】
第２吸収体には、前後方向に延びる溝または開口が設けられることが好ましい。例えば、第２吸収体が吸水性樹脂とパルプ繊維を含有する成形体を有する場合は、当該成形体に前後方向に延びる溝または開口が形成されることが好ましい。この際、第２吸収体の溝または開口は、第１吸収体の中央領域と重なって設けられることが好ましい。このように第２吸収体に溝または開口が設けられることにより、第１吸収体の中央領域を透過した尿等が第２吸収体を前後方向に拡散しやすくなり、尿等が第２吸収体によって速やかに吸収されるようになる。
【００７３】
本発明において、「開口」とは上下方向に貫通して設けられるものであり、一方「溝」とは表面に形成された窪みを意味し、底面を有するものとして規定される。溝または開口は第２吸収体の上面に設けられればよく、第２吸収体の成形体に溝または開口が形成される場合は、成形体の溝または開口が被覆シートで覆われていてもよい。
【００７４】
溝または開口は、前後方向の長さが幅方向の長さよりも長くなるように延びるように設けられる限り、その形状は特に限定されない。溝または開口の形状としては、例えば、長方形、角の丸まった長方形、楕円形、多角形、砂時計形、亜鈴形等が挙げられる。
【００７５】
溝または開口の数は１つであってもよく複数であってもよい。溝または開口が複数設けられる場合、溝または開口は、幅方向に並んで複数設けられることが好ましい。なお、第２吸収体の吸収容量と拡散性の両方を確保する点から、溝または開口は１つまたは２つ設けられることが好ましい。溝または開口が１つのみ設けられる場合は、溝または開口は、第２吸収体の幅方向の中央部に設けられることが好ましく、すなわち、第２吸収体の幅方向の中心線（すなわち前後方向に延びる中心線）を含むように設けられることが好ましい。溝または開口が２つ設けられる場合は、前後方向に延びる溝または開口が幅方向に並んで２つ設けられることが好ましい。この場合、溝または開口は第２吸収体の幅方向の中心線に対して略対称となるように設けられることが好ましい。
【００７６】
第２吸収体に設けられる溝または開口は、着用者の排尿部付近に面するように設けられることが好ましい。例えば第２吸収体の溝または開口は、第２吸収体の前後方向に対する相対的位置として前側端を０％とし後側端を１００％としたとき、少なくとも３０％〜６０％の範囲（より好ましくは２５％〜７０％の範囲）に延在することが好ましい。
【００７７】
第２吸収体の溝または開口は、第２吸収体の前後方向の全体に設けられてもよく、前後方向の一部に設けられてもよい。なお、第２吸収体の溝または開口は、第２吸収体の前後方向の一部のみに設けられることが好ましく、このように第２吸収体に溝または開口を設けることにより、尿等が前後方向に漏れにくくなる。この場合、溝または開口の前後方向の両端が、第２吸収体の前側端と後側端よりも前後方向の内方に位置するように設けられることが好ましい。例えば第２吸収体の溝または開口は、第２吸収体の前後方向に対する相対的位置として前側端を０％とし後側端を１００％としたとき、溝または開口の前側端が１０％〜３０％の範囲（より好ましくは１５％〜２５％の範囲）に位置し、溝または開口の後側端が６０％〜９０％（より好ましくは７０％〜８５％の範囲）に位置することが好ましい。
【００７８】
第２吸収体には、溝が設けられることが好ましい。第２吸収体に開口ではなく溝を設けることにより、吸収性物品のバックシート側からの漏れが起こりにくくなり、また、第２吸収体に尿等が速やかに吸収されやすくなる。
【００７９】
第２吸収体に溝が設けられる場合、第２吸収体が次のように構成されれば、第２吸収体に製造上簡便に溝を形成することができる。すなわち、第２吸収体は吸水性樹脂とパルプ繊維を含有する成形体を有し、当該成形体は、トップシート側に設けられた上側成形体とバックシート側に設けられた下側成形体から構成され、上側成形体に前後方向に延びる開口が設けられ、下側成形体が上側成形体の開口と重なって設けられることにより、成形体に前後方向に延びる溝が形成されてもよい。この場合、下側成形体は上側成形体の開口を完全に覆うように上側成形体の下側に配されることとなる。
【００８０】
第２吸収体の溝または開口の幅（幅方向の長さ）は、例えば、８ｍｍ以上が好ましく、１０ｍｍ以上がより好ましく、また３０ｍｍ以下が好ましく、２５ｍｍ以下がより好ましい。第２吸収体の溝または開口の幅が８ｍｍ以上であれば、尿等の前後方向への拡散性が高められ、第２吸収体の溝または開口の幅が３０ｍｍ以下であれば、第２吸収体の吸収容量が増大する。
【００８１】
第１吸収体と第２吸収体の前後方向の長さは特に限定されない。第１吸収体と第２吸収体の幅方向の長さも特に限定されない。なお、第１吸収体は、シート部材の間に吸水性樹脂を有しパルプ繊維を有しないように構成され、比較的厚みが薄く形成されるため、第１吸収体の形状保持性を考慮すると、第２吸収体は第１吸収体の前後方向と幅方向の長さと同じかそれより長く形成されることが好ましい。
【００８２】
吸収性物品に立ち上がりフラップが設けられる場合は、第１吸収体は、立ち上がりフラップの立ち上がる起点となる基部よりも幅方向の内方に設けられ、第２吸収体は、立ち上がりフラップの基部よりも幅方向の外方に延在するように設けられることが好ましい。この場合、第１吸収体の幅方向の端縁が、立ち上がりフラップの基部よりも幅方向の内方に位置することとなる。このように第１吸収体と第２吸収体が設けられていれば、第１吸収体上に尿等が多量に排泄されたりして第１吸収体から尿等が溢れ出ても、尿等が第１吸収体と立ち上がりフラップの基部との間の隙間を通って第２吸収体に移行し、第２吸収体で好適に吸収されるようになる。その結果、尿等の横漏れ防止効果が高まる。
【００８３】
第１吸収体が立ち上がりフラップの基部よりも幅方向の内方に設けられる場合、第１吸収体は、幅方向の端縁が、立ち上がりフラップの基部から内方に１０ｍｍ以上離れて設けられることが好ましく、１５ｍｍ以上離れていることがより好ましい。第１吸収体がこのように設けられていれば、第１吸収体から溢れた尿等が速やかに第２吸収体に移行しやすくなる。また第１吸収体は、幅方向の端縁が、立ち上がりフラップの基部から内方に４０ｍｍ以下離れて設けられることが好ましく、３０ｍｍ以下離れていることがより好ましい。第１吸収体がこのように設けられていれば、第１吸収体の設置面積が十分に確保され、第１吸収体による吸収容量が高められる。
【００８４】
吸収性物品に立ち上がりフラップが設けられる場合は、第１吸収体の端部領域が立ち上がりフラップの基部と重なるように設けられることも好ましい。このように第１吸収体が設けられれば、第１吸収体の端部領域に配された吸水性樹脂が尿等を吸収して端部領域が上下方向に膨らむことにより、立ち上がりフラップの基部が上方に持ち上げられ、立ち上がりフラップによって高さの高い防漏壁が形成されるようになる。その結果、尿等の横漏れ防止効果が高まる。
【００８５】
次に、本発明の吸収性物品の構成例について、図５および図６を参照して説明する。図５および図６には、図１および図２に示した第１吸収体を備えた吸収性物品を示した。図５は、吸収性物品として尿パッドをトップシート側から見た平面図を表す。図６は、図５に示した吸収性物品のＶＩ−ＶＩ断面図を表す。図５では、図の上側が吸収性物品の前側に相当し、図の下側が吸収性物品の後側に相当する。なお、本発明は、図面に示された実施態様に限定されない。
【００８６】
吸収性物品１は、トップシート２とバックシート３とこれらの間に設けられた吸収体１０とを有する。トップシート２は、着用者の肌に面するように配置され、尿等の排泄物を透過する。トップシート２を透過した排泄物は、吸収体１０により収容される。バックシート３は、排泄物が外部へ漏れるのを防いでいる。
【００８７】
吸収体１０は、トップシート２側から第１吸収体１１と第２吸収体２１を有する。第１吸収体１１の詳細な構成は図１および図２に示され、上記に説明した通りである。すなわち、第１吸収体１１は、複数層のシート部材１２を含み、シート部材１２の間に吸水性樹脂１３を有しパルプ繊維を有しないように構成され、端部領域１５に速効性吸水性樹脂１３Ａが配され、中央領域１６に遅効性吸水性樹脂１３Ｂが配されている。第２吸収体２１は、吸水性樹脂とパルプ繊維を含有し、第１吸収体１１の中央領域１６と重なって、前後方向ｙに延びる溝２２が形成されている。このように第１吸収体１１と第２吸収体２１が設けられることにより、尿等の横漏れが効果的に防止され、また尿等の吸収効率が高められる。なお、第２吸収体２１には、溝２２の代わりに開口が設けられてもよい。
【００８８】
吸収性物品１には、トップシート２の幅方向ｘの両側に、前後方向ｙに延びる立ち上がりフラップ５が設けられている。図５および図６では、トップシート２の幅方向ｘの両側に、前後方向ｙに延在するサイドシート４が接合され、サイドシート４の幅方向ｘの内方端に設けられた起立用弾性部材７の収縮力によりサイドシート４の内方端が着用者の肌に向かって立ち上がり、これにより立ち上がりフラップ５が形成されている。立ち上がりフラップ５により、尿等の幅方向ｘの横漏れが防止される。なお、立ち上がりフラップ５は前後方向ｙの端部の内面がトップシート２上に接合されてもよく、これにより立ち上がりフラップ５の立ち上がりが容易になる。
【００８９】
立ち上がりフラップ５は立ち上がる起点となる基部６を有し、第１吸収体１１は、立ち上がりフラップ５の基部６よりも幅方向ｘの内方に設けられ、第２吸収体２１は、立ち上がりフラップ５の基部６よりも幅方向ｘの外方に延在するように設けられていている。このように第１吸収体１１と第２吸収体２１が設けられていれば、尿等が多量に排出されたりして第１吸収体１１から尿等が溢れても、尿等が第１吸収体１１と立ち上がりフラップ５の基部６との間の隙間を通って第２吸収体２１に移行し、第２吸収体２１で好適に吸収されるようになる。その結果、尿等の横漏れ防止効果がさらに高められる。
【符号の説明】
【００９０】
１：  吸収性物品
２：  トップシート
３：  バックシート
５：  立ち上がりフラップ
６：  基部
１０：  吸収体
１１：  第１吸収体
１２：  シート部材
１３：  吸水性樹脂
１５：  端部領域
１６：  中央領域
１７：  封止部
１８：  非封止部
２１：  第２吸収体
２２：  溝
【図１】
2015150058.tif 000003
【図２】
2015150058.tif 000004
【図３】
2015150058.tif 000005
【図４】
2015150058.tif 000006
【図５】
2015150058.tif 000007
【図６】
2015150058.tif 000008